(57)【要約】【課題】本体部を支柱部から着脱自在に分離することができる電気掃除機において、使い勝手を向上させることができる電気掃除機を提供することを課題とする。【解決手段】集塵部１を有する本体部２と、本体部２に形成され、集塵部に連通する本体側ホース接続部３４と、下方に床用吸込具１５を有し、本体部２を着脱可能に形成された支柱部３と、支柱部３に形成され、床用吸込具１５の吸込口１４に連通する支柱部側ホース支柱部側ホース接続部１７と、一端が本体側ホース接続部３４に接続されると共に、他端が支柱部側ホース接続部１７に着脱自在に接続されるホース１３とを備えた電気掃除機において、前記支柱部３は、床用吸込具１５を有する回動しない非回動部と、この非回動部の上端を支点１８として回動する回動部とから構成され、前記ホース１３は、本体部２と支柱部３との間において、支柱部３に形成された保持部２０により、方向転換可能に保持されている。【選択図】         図１
2005095275.tif 000002
【特許請求の範囲】
【請求項１】
集塵部及び電動送風機を有する本体部と、本体部に形成され、集塵部に連通する本体側ホース接続部と、下方に床用吸込具を有し、本体部を着脱可能に形成された支柱部と、支柱部に形成され、床用吸込具の吸込口に連通する支柱部側ホース接続部と、一端が本体側ホース接続部に接続されると共に、他端が支柱部側ホース接続部に着脱自在に接続されるホースとを備えた電気掃除機において、前記支柱部は、床用吸込具を有すると共に支柱部側ホース接続部が形成されている回動しない非回動部と、この非回動部の上端を支点として回動する回動部とから構成され、前記ホースは、本体部と支柱部との間において、支柱部の非回動部に形成された保持部により、方向転換可能に保持されていることを特徴とする電気掃除機。
【請求項２】
前記支柱部側ホース接続部は、床用吸込具近傍に形成されていると共に、ホースを保持する保持部は、前記支点近傍に形成されていることを特徴とする請求項１記載の電気掃除機。
【請求項３】
集塵部及び電動送風機を有する本体部と、床用吸込具を有し、前記本体部を着脱可能に形成された支柱部とを備えた電気掃除機において、前記本体部に把持可能な取っ手を形成し、取っ手近傍の取っ手の把持部の延長上に電動送風機を操作するスイッチを配設したことを特徴とする電気掃除機。
【請求項４】
前記本体部は、電動送風機が配設されたベース部と、ベース部に着脱自在に装着される集塵部とから構成され、前記取っ手は、集塵部に形成されていることを特徴とする請求項３記載の電気掃除機。
【請求項５】
集塵部及び電動送風機を有する本体部と、本体部に形成され、集塵部に連通する本体側ホース接続部と、床用吸込具を有し、本体部を着脱可能に形成された支柱部と、支柱部に形成され、床用吸込具の吸込口に連通する支柱部側ホース接続部と、一端が本体側ホース接続部に接続されると共に、他端が支柱部側ホース接続部に着脱自在に接続されるホースと、ホースの他端に着脱自在に接続される吸込具とを備えた電気掃除機において、前記吸込具は、本体部に着脱自在に収納されていることを特徴とする電気掃除機。
【請求項６】
前記吸込具は、本体部の支柱部への装着面に収納されていることを特徴とする請求項５記載の電気掃除機。
【請求項７】
集塵部及び電動送風機を有する本体部と、本体部に電気的に接続され、電動送風機へ給電する電源コードと、床用吸込具を有し、前記本体部を着脱可能に形成された支柱部とを備えた電気掃除機において、前記本体部に、電源コードを巻き付けるフックを本体部から突出させて形成したことを特徴とする電気掃除機。
【請求項８】
前記フックは、本体部内に収納自在に形成されていることを特徴とする請求項７記載の電気掃除機。
【請求項９】
集塵部及び電動送風機を有する本体部と、床用吸込具を有し、前記本体部を着脱可能に形成された支柱部とを備えた電気掃除機において、前記本体部の底面に、本体部を移動可能に支持する支持部を設け、さらに、この支持部は、本体部を支柱部へ装着する際のガイドとなるように構成されていることを特徴とする電気掃除機。
【請求項１０】
前記支持部は、車輪で構成されていることを特徴とする請求項９記載の電気掃除機。
【発明の詳細な説明】
【技術分野】
【０００１】
本発明は、電気掃除機に関し、特に、本体部と支柱部とを着脱自在に分離することができる電気掃除機に関する。
【背景技術】
【０００２】
従来、本体部を支柱部から着脱自在に分離することができる電気掃除機は、本体部を支柱部に装着した場合には、支柱部の吸込口から塵埃を吸込むアプライト型の電気掃除機として使用され、本体部を支柱部から取り外して本体部単独にした場合は、本体部の吸込口から塵埃を吸込むハンディ型の電気掃除機として使用されるものが知られている。（例えば、特許文献１参照）
【特許文献１】特開平１１−９５１０号公報
【発明の開示】
【発明が解決しようとする課題】
【０００３】
本体部を支柱部から取り外して本体部単独で使用できるようにするため電源コードは本体部に接続されている。そして、本体部を支柱部に装着した際には電源コードは支柱部に巻き付けられて収納されている。
【０００４】
しかしながら、本体部を支柱部に装着した状態から、本体部を取り外して本体部単独で使用しようとした場合、支柱部に巻き付けられている電源コードを取り外さなければ本体部を所望の場所に移動させることができず、使い勝手が悪いものであった。また、この種の電気掃除機の使い勝手を向上させるために、ホースの処理、動作スイッチの配置場所、ホースに接続される吸込具の収納場所、あるいは本体部を支柱部へ装着する構成については何も考慮されていなかった。
【０００５】
本発明は、このような課題を解決するためになされたものであり、本体部を支柱部から着脱自在に分離することができる電気掃除機において、使い勝手を向上させることができる電気掃除機を提供することを課題とする。
【課題を解決するための手段】
【０００６】
上記課題を解決するための第１の手段は、集塵部及び電動送風機を有する本体部と、本体部に形成され、集塵部に連通する本体側ホース接続部と、下方に床用吸込具を有し、本体部を着脱可能に形成された支柱部と、支柱部に形成され、床用吸込具の吸込口に連通する支柱部側ホース接続部と、一端が本体側ホース接続部に接続されると共に、他端が支柱部側ホース接続部に着脱自在に接続されるホースとを備えた電気掃除機において、前記支柱部は、床用吸込具を有すると共に支柱部側ホース接続部が形成されている回動しない非回動部と、この非回動部の上端を支点として回動する回動部とから構成され、前記ホースは、本体部と支柱部との間において、支柱部の非回動部に形成された保持部により、方向転換可能に保持されていることを特徴とする。
【０００７】
上記課題を解決するための第１の手段において、前記支柱部側ホース接続部は、床用吸込具近傍に形成されていると共に、ホースを保持する保持部は、前記支点近傍に形成されていることが好ましい。
【０００８】
上記課題を解決するための第２の手段は、集塵部及び電動送風機を有する本体部と、床用吸込具を有し、前記本体部を着脱可能に形成された支柱部とを備えた電気掃除機において、前記本体部に把持可能な取っ手を形成し、取っ手近傍の取っ手の把持部の延長上に電
動送風機を操作するスイッチを配設したことを特徴とする。
【０００９】
上記課題を解決するための第２の手段において、前記本体部は、電動送風機が配設されたベース部と、ベース部に着脱自在に装着される集塵部とから構成され、前記取っ手は、集塵部に形成してもよい。
【００１０】
上記課題を解決するための第３の手段は、集塵部及び電動送風機を有する本体部と、本体部に形成され、集塵部に連通する本体側ホース接続部と、床用吸込具を有し、本体部を着脱可能に形成された支柱部と、支柱部に形成され、床用吸込具の吸込口に連通する支柱部側ホース接続部と、一端が本体側ホース接続部に接続されると共に、他端が支柱部側ホース接続部に着脱自在に接続されるホースと、ホースの他端に着脱自在に接続される吸込具とを備えた電気掃除機において、前記吸込具は、本体部に着脱自在に収納されていることを特徴とする。
【００１１】
上記課題を解決するための第３の手段において、前記吸込具は、本体部の支柱部への装着面に収納されていることが好ましい。
【００１２】
上記課題を解決するための第４の手段は、集塵部及び電動送風機を有する本体部と、本体部に電気的に接続され、電動送風機へ給電する電源コードと、床用吸込具を有し、前記本体部を着脱可能に形成された支柱部とを備えた電気掃除機において、前記本体部に、電源コードを巻き付けるフックを本体部から突出させて形成したことを特徴とする。
【００１３】
上記課題を解決するための第４の手段において、前記フックは、本体部内に収納自在に形成されていることが好ましい。
【００１４】
上記課題を解決するための第５の手段は、集塵部及び電動送風機を有する本体部と、床用吸込具を有し、前記本体部を着脱可能に形成された支柱部とを備えた電気掃除機において、前記本体部の底面に、本体部を移動可能に支持する支持部を設け、さらに、この支持部は、本体部を支柱部へ装着する際のガイドとなるように構成されていることを特徴とする。
【００１５】
上記課題を解決するための第５の手段において、支持部は、車輪で構成してもよい。
【発明の効果】
【００１６】
本発明の請求項１の構成によれば、電気掃除機の使用後等に収納する際には、支柱部の高さを低くすることができ収納性を向上させることができる。また、ホースを保持する保持部は、回動しない支柱部に形成されているため、支柱部を回動させて支柱部を折り曲げても、ホースに張力が加わることがなく、ホースの破損を防止することができる等の効果を奏する。
【００１７】
本発明の請求項２の構成によれば、支柱部側ホース接続部を床用吸込具の近傍に形成されると共に、保持部は支点近傍に形成されているため、ホースの他端が着脱自在に接続される支柱部側ホース接続部と保持部までの距離が長くなり、また、ホースの他端を支柱部側ホース接続部から外して掃除する時、遠い位置までホースの他端を伸ばして使用できるので、使い勝手を向上させることができる等の効果を奏する。
【００１８】
本発明の請求項３の構成によれば、スイッチは本体部の取っ手近傍の取っ手の把持部の延長上に形成されているため、本体部の取っ手を片手で持った際に、その片手の指先でスイッチを操作することができ、操作性を向上させることができる等の効果を奏する。
【００１９】
本発明の請求項４の構成によれば、取っ手は集塵部に形成されているため、電気掃除機を持ち運ぶ際、本体部を持った際及び集塵部を取り外した際にはこの取っ手を兼用することができ、構成を簡素化することができる等の効果を奏する。
【００２０】
本発明の請求項５の構成によれば、吸込具は、本体部に着脱自在に収納されているため、本体部単独で使用する際に本体部を支柱部から取り外した後に、本体部から吸込具を取り外して直ちに使用することができ、吸込具の収納場所にわざわざ取りに行く必要がなく、使い勝手を向上させることができる等の効果を奏する。
【００２１】
本発明の請求項６の構成によれば、吸込具は、本体部の支柱部への装着面に形成されているため、本体部の装着面と支柱部間に形成されるデッドスペースに吸込具を収納することができ、構成を簡素化することができる等の効果を奏する。
【００２２】
本発明の請求項７の構成によれば、電源コードは、本体部に形成されたフックに巻き付けることができるため、本体部単独で使用する際に、直ちに本体部を所望の場所に移動させて使用することができ、使い勝手を向上させることができる等の効果を奏する。
【００２３】
本発明の請求項８の構成によれば、フックは本体部内に収納自在に構成されているため、掃除中に本体部から出っ張ったフックにより家具を傷付けるような問題を解決することができる等の効果を奏する。
【００２４】
本発明の請求項９の構成によれば、本体部を移動可能に支持する支持部により、本体部を床面に置いてキャニスター型の電気掃除機と使用する際に、使い勝手を向上させることができると共に、この支持部は、本体部を支柱部に装着する際のガイドとなるため、本体部の支柱部への装着性を向上させることができる等の効果を奏する。
【００２５】
本発明の請求項１０の構成によれば、簡単な構成により請求項９の効果を実現させることができる等の効果を奏する。
【発明を実施するための最良の形態】
【００２６】
本発明に係る電気掃除機を実施するための最良の形態を図１乃至図１５に基づいて説明する。
【００２７】
本発明の電気掃除機は、集塵部１及び図示しない電動送風機を備えた本体部２と、本体部２が着脱自在に装着される支柱部３とから構成されている（図１乃至図４参照）。そして、本体部２を支柱部３に装着した状態では図５に示すようにアップライト型の掃除機として使用され、本体部２を支柱部３から取り外した状態で図６に示すように本体部２を床面に置いた場合にはキャニスター型の掃除機として使用され、本体部２を支柱部３から取り外した状態で図７に示すように本体部２を持ち上げた場合や、図８に示すように本体部２を支柱部３から取り外して本体部２単独にした場合にはハンディ型の掃除機として使用される。
【００２８】
本体部２は、図示しない電動送風機を有すると共に、支柱部３への装着部を有するベース部４と、本体部２を支柱部３に装着した状態で、本体部２の上方に位置すると共に、ベース部４に着脱自在に装着される集塵部１とから構成されている。集塵部１の上方には把持可能な取っ手５が形成されている。取っ手５近傍の取っ手５の把持部３５の延長上のベース部４には図示しない電動送風機を操作するスイッチ６が配設されている。本体部２には、集塵部１に連通し、ホース１３の一端が接続される本体部側ホース接続部３４が形成されている。
【００２９】
本体部２のベース部４には、図示しない電動送風機に電源を供給する電源コード７が電気的に接続されている。また、本体部２のベース部４には、電源コード７を巻き付ける一対のフック８が配設されている（図１、図１１参照）。フック８は、図９及び図１０に示すようにベース部４の内外に向けてスライド自在なスライド部９と電源コード７を引っ掛ける引掛け部１０とから構成され、スライド部９と引掛け部１０とを螺子１１により固定することによりフック８はベース部４に収納自在になっている。螺子１１はキャップ１２により外観からは見えないようになっている。ベース部４には一端が集塵部１に連通するホース１３が連結されている。
【００３０】
支柱部３は、下方に、吸込口１４を有する床用吸込具１５が配設されていると共に、上方にグリップ１６が形成されている。床用吸込具１５近傍の支柱部３には、ホース１３の他端が着脱自在に接続される支柱部側ホース接続部１７が形成されている。支柱部側ホース接続部１７と吸込口１４とは連通しており、ホース１３の他端を支柱部側ホース接続部１７に接続することにより、ホース１３を介して吸込口１４と集塵部１とは連通するようになっている。支柱部３の略中央には支点１８が形成され、グリップ１６を有する支点１８より上方の支柱部３は、支点１８を回転中心として回動自在に形成され、図１１に示すようにグリップ１６側の支柱部３を折り曲げできるようになっている。支点１８近傍の支柱部３には、支柱部３が伸びている状態を保持するストッパーボタン１９が配設されており、支柱部３を折り曲げる際に、ストッパーボタン１９を押すことにより、折り曲げ可能となる。支点１８近傍の回動しない部分の支柱部３には、ホース１３を支持する保持部２０が形成されている。
【００３１】
本体部２を支柱部３に取付けた状態の本体部２の下方には、支柱部３に形成された下方係止部２１に係合する下方被係止部２２が形成されている（図１参照）。本体部２を支柱部３に取付けた状態の本体部２の上方には、支柱部３に形成された上方係止部２３に係合する上方被係止部２４が形成されている。上方係止部２３は垂直方向にスライド自在に形成されている（図１２参照）。上方係止部２３が下方に位置している時は、上方係止部２３と上方被係止部２４とは係合している。上方係止部２３が上方に位置している時は、上方係止部２３と上方被係止部２４との係合は解除される。従って、上方係止部２３と一体的に構成されている本体部着脱スイッチ１６を上方にスライドさせることにより本体部２を支柱部３から取り外しできるようになっている（図１３参照）。上方係止部２３は図示しない付勢手段により下方に付勢されている。
【００３２】
集塵部１をベース部４に取付けた状態の集塵部１の下方には、ベース部４に形成された下部係止部２６に係合する下部被係止部２７が形成されている（図１３参照）。集塵部１をベース部４に取付けた状態の集塵部１の上方には、ベース部４に形成された上部係止部２８に係合する上部被係止部２９が形成されている。上部係止部２８は垂直方向にスライド自在に形成されている（図１２参照）。上部係止部２８が下方に位置している時は、上部係止部２８と上部被係止部２９とは係合している。上部係止部２８が上方に位置している時は、上部係止部２８と上部被係止部２９との係合は解除される。従って、上部係止部２８と一体的に構成されている集塵部着脱スイッチ３０を上方にスライドさせることにより集塵部１をベース部４から取り外しできるようになっている（図１４参照）。上部係止部２８は図示しない付勢手段により下方に付勢されている。
【００３３】
本体部２の支柱部３への装着面は、図６に示すようにキャニスター型の掃除機として使用する場合の本体部２の底面になっている。キャニスター型の掃除機として使用する場合には、本体部２が床面を移動する際の抵抗を低減させる手段が必要であり、本実施の形態では底面に車輪３１を装着している。本体部を支柱部３に装着する際、車輪３１が支柱部３を挟み込むような位置関係になるように車輪３１を装着しているため、車輪３１は本体部２を支柱部３へ装着する際のガイドとなっている（図４、図１５参照）。
【００３４】
本体部２の支柱部３への装着面の車輪３１間には、本体部２のホース１３の他端に着脱自在に装着される吸込具３２を収納する凹部３３が形成されている。凹部３３は、吸込具３２を凹部３３に収納した際、吸込具３２が車輪３１より外側に突出しないような形状に形成されている。
【００３５】
このように構成された電気掃除機は、図１１に示すように支柱部３の支点１８より上方のグリップ１６側の支柱部３は折り曲げることができるため、電気掃除機の使用後等に収納する際には、支柱部の高さを低くすることができ収納性を向上させることができる。また、ホース１３を保持する保持部２０は、回動しない支柱部３に形成されているため、支柱部３を回動させて支柱部３を折り曲げても、ホース１３に張力が加わることがなく、ホース１３の破損を防止することができると共に、保持部２０によりホース１３の方向転換を容易に行うことができる。さらに、保持部２０は、支点１８近傍に形成されているため、ホース１３他端の支柱部３への支柱部側ホース接続部１７と保持部２０までの距離を長く取ることができ、図６に示すようにキャニスター型の掃除機として使用する場合に、保持部２０と本体部２間のホース１３の弛みを最小限にできる。また、図７に示すようにハンディ型の掃除機として使用した場合には、ホース１３の他端に吸込具３２を装着して遠い位置までホース１３の他端を伸ばして使用することができる。この結果、使い勝手を向上させることができる。
【００３６】
図示しない電動送風機を操作するスイッチ６は、本体部２の取っ手５近傍の取っ手５の把持部３５の延長上に形成されているため、図７や図８に示すように本体部２の取っ手５を片手で持った際に、その片手の指先でスイッチ６を操作することができ、操作性を向上させることができる。また、この取っ手５は、集塵部１に形成されているため、電気掃除機を持ち運ぶ際、本体部２を取り外した際及び集塵部１を取り外した際にはこの取っ手５を兼用することができ、構成を簡素化することができる。
【００３７】
本体部２に接続されている電源コード７は、本体部２に配設されたフック８に巻き付いているため、図８に示すように本体部２単独で使用する際に、背景技術のように収納されている電源コードを一端取り外すことなく、直ちに本体部２を所望の場所に移動させることができ、使い勝手を向上させることができる。また、フック８は本体部２内に収納自在に構成されているため、掃除中に本体部２から出っ張ったフック８により家具を傷付けるような問題を解決することができる。
【００３８】
ホース１３の他端に着脱自在に接続される吸込具３２は、本体部２に着脱自在に収納されているため、図８に示すように本体部２単独で使用する際に本体部２を支柱部３から取り外した後に、本体部２から吸込具３２を取り外して直ちに使用することができる。この結果、吸込具３２の収納場所にわざわざ取りに行く必要がなく、使い勝手を向上させることができる。また、吸込具３２は、本体部２の支柱部３への装着面に形成されているため、本体部２の装着面と支柱部３間に形成されるデッドスペースに吸込具３２を収納することができ、構成を簡素化することができる。
【００３９】
図６に示すようにキャニスター型の掃除機として使用する場合の本体部２の底面、即ち、本体部２の支柱部３への装着面には、本体部２が床面を移動する際の走行性能を向上させるために車輪３１が装着されている。この車輪３１は、本体部２を支柱部３に装着する際のガイドとなるため、本体部２の支柱部３への装着性を向上させることができる。尚、本体部を支柱部３に装着する際のガイドは車輪３１に限定されるものではない。本体部２が床面を移動可能に支持する支持部、例えば、本体部２が移動する方向に延設された突条等の凸部により構成してもよい。
【図面の簡単な説明】
【００４０】
【図１】本発明を実施するための最良の形態の電気掃除機の側面図である。
【図２】同電気掃除機を他の方向から見た側面図である。
【図３】同電気掃除機の正面図である。
【図４】同電気掃除機の裏面図である。
【図５】同電気掃除機をアップライト型の掃除機として使用した状態を示す側面図である。
【図６】同電気掃除機をキャニスター型の掃除機として使用した状態を示す側面図である。
【図７】同電気掃除機をハンディ型の掃除機（両手に本体部と支柱部）として使用した状態を示す側面図である。
【図８】同電気掃除機をハンディ型の掃除機（本体部単独）として使用した状態を示す側面図である。
【図９】同電気掃除機のフックの断面図で、フックを本体部から引き出した状態を示す。
【図１０】同電気掃除機のフックの断面図で、フックを本体部に収納した状態を示す。
【図１１】同電気掃除機の支柱部を折り曲げた状態を示す側面図である。
【図１２】同電気掃除機のベース部及び集塵部の上の嵌合状態を示す拡大断面図である。
【図１３】同電気掃除機の本体部を支柱部から取り外す状態を示す側面図である。
【図１４】同電気掃除機の集塵部をベース部から取り外す状態を示す側面図である。
【図１５】車輪と支柱部との位置関係を示す断面図である。
【符号の説明】
【００４１】
１    集塵部
２    本体部
３    支柱部
１３  ホース
１４  吸込口
１５  床用吸込具
１６  グリップ
１８  支点
２０  支持部
【図１】
2005095275.tif 000003
【図２】
2005095275.tif 000004
【図３】
2005095275.tif 000005
【図４】
2005095275.tif 000006
【図５】
2005095275.tif 000007
【図６】
2005095275.tif 000008
【図７】
2005095275.tif 000009
【図８】
2005095275.tif 000010
【図９】
2005095275.tif 000011
【図１０】
2005095275.tif 000012
【図１１】
2005095275.tif 000013
【図１２】
2005095275.tif 000014
【図１３】
2005095275.tif 000015
【図１４】
2005095275.tif 000016
【図１５】
2005095275.tif 000017